(57)【特許請求の範囲】
【請求項１】
框と、框にそれぞれ縁部分を嵌め込んで取り付けた面材とを備える障子に適用し、
面材の上端面において戸先側に位置する部分と上框の見込み面との間の隙間に介在して面材及び上框のそれぞれに当接させることにより面材を上框に支持させるようにした面材支持装置であって、
基準となるベース部材と、ベース部材に対して傾斜面を介して当接し、水平方向に沿って相対位置を変更した場合に傾斜面の作用により、ベース部材に対する高さ方向の位置が変更されるスライド部材とを備え、
前記ベース部材は、戸先側に配置される縦框の見込み面に取り付けられ、面材の戸先側に位置する端面との間に収容されるベース基部と、前記ベース基部から突出して面材の上端面に対向する部位に配置されるベース支持部とを有したものであり、
前記スライド部材は、前記ベース基部に対して移動可能に支持させたスライド基部と、前記スライド基部から突出して面材の上端面に対向する部位に配置されるスライド支持部とを有したものであり、
前記ベース基部と前記スライド基部との間に介在し、前記ベース部材及び前記スライド部材の水平方向に沿った相対位置を変更させる操作部材を設けたことを特徴とする面材支持装置。
【請求項２】
少なくとも前記ベース支持部及び前記スライド支持部の間に前記傾斜面を設けたことを特徴とする請求項１に記載の面材支持装置。
【請求項３】
前記ベース支持部と前記スライド支持部との間及び前記ベース基部と前記スライド基部との間にそれぞれ前記傾斜面を設けたことを特徴とする請求項１に記載の面材支持装置。
【請求項４】
前記スライド部材には、面材に近接する向きに移動させた場合に、上框に支持させた押縁部材の着脱移動領域に進入し、前記押縁部材に当接することによって前記押縁部材の脱落方向への移動を阻止する脱落防止突起を設けたことを特徴とする請求項１に記載の面材支持装置。
【請求項５】
前記ベース支持部からの前記スライド支持部の突出高さを増大する方向に向けて前記ベース基部と前記スライド基部とを水平方向に沿って相対移動させた場合には、前記脱落防止突起が前記押縁部材の着脱移動領域に進入した後に前記ベース支持部及び前記スライド支持部の間の傾斜面が作用するようにこれら脱落防止突起及び傾斜面の位置を設定したことを特徴とする請求項４に記載の面材支持装置。
【請求項６】
前記操作部材は、水平方向に延在する軸部の周面に螺旋溝を有し、前記ベース基部及び前記スライド基部のいずれか一方に前記螺旋溝を介して噛み合う一方、前記ベース基部及び前記スライド基部のいずれか他方には軸方向への移動が規制された状態で自身の軸心回りに回転可能に配設された調整ネジ部材を備えることを特徴とする請求項１に記載の面材支持装置。
【請求項７】
請求項１〜請求項６のいずれか一つに記載された面材支持装置を框と面材との間に設けたことを特徴とする障子。
【請求項８】
前記操作部材を操作する工具を挿入するための工具挿入口を縦框の戸先面に設けたことを特徴とする請求項７に記載の障子。
【請求項９】
前記操作部材を操作する工具を挿入するための工具挿入口を縦框の室内側に位置する見付け面に設けたことを特徴とする請求項７に記載の障子。
【発明の詳細な説明】
【技術分野】
【０００１】
本発明は、面材支持装置及び障子に関するもので、特に、一方の縦框を開口枠の面外方向に移動させて障子を開けるように構成した建具に好適な面材支持装置及びこの面材支持装置を適用した障子に関するものである。
【背景技術】
【０００２】
一方の縦框を開口枠の面外方向に移動させて障子を開けるように構成した建具では、障子が戸先側に下がる傾向がある。特に、複層ガラスを面材として適用した障子や大面積の開口に設けられる障子にあっては、障子の重量が大きくなるため、戸先側に下がる問題が一層顕著となる。
【０００３】
障子が戸先側に下がる事態は、框の剛性を向上させることで抑制できることが知られている。例えば、面材の上端面において戸先側に位置する部分と上框の見込み面との間の隙間に面材支持装置を配設し、面材支持装置を介して面材の上端部を上框に支持させれば、框に対する面材の移動が阻止されることで框の剛性が向上することになり、框の変形が阻止されることで障子の戸先側が下がる事態を抑えることが可能になる。
【０００４】
この種の面材支持装置としては、傾斜面を介して互いに当接する２つの部材を備えたものがある。この面材支持装置では、２つの部材を上框の見込み方向に沿って相対的に移動させれば、傾斜面の作用によって全高が変化するため、この全高を調整することにより、２つの部材を介して面材の上端面を上框に支持させることができ、障子が下がる事態を抑えることができるようになる（例えば、特許文献１参照）。
【先行技術文献】
【特許文献】
【０００５】
【特許文献１】実開昭５８−３１３８５号公報
【発明の概要】
【発明が解決しようとする課題】
【０００６】
ところで、上述した面材支持装置では、高さ調整を行った後に、面材と上框との間に押縁部材を装着して２つの部材を覆うようにしている。このため、障子を組み立てた後においては、全高の微調整が必要になった場合にも、もはやこれを行うことは容易ではない。
【０００７】
こうした問題は、２つの部材を操作部材によってスライドさせる機構を付設し、かつ操作部材を框の外部から操作できるように構成すれば解決することは可能である。しかしながら、操作部材を備えたスライド機構を付設するには、面材の上端面と上框の見込み面との間に大きなスペースを確保しなければならない。この結果、こうした面材支持装置を配設するには、上框に大きな見付け寸法が必要となるため、適用できる障子が著しく制限されることになる。特に、既に設計された既存の建具では、框に対して面材が不用意に移動できる範囲を狭めるように、面材の上端面と上框の見込み面との間のスペースを小さく構成している場合が多いため、操作部材を備えたスライド機構を付設した面材支持装置の適用はきわめて困難である。
【０００８】
本発明は、上記実情に鑑みて、障子を組み立てた後の調整を容易に行うことができ、しかも面材の上端面と上框の見込み面との間のスペースが大きく確保されていない障子に対しても適用することにより、大面積の開口に設けられる障子の戸先側が下がる問題を防止することのできる面材支持装置及び障子を提供することを目的とする。
【課題を解決するための手段】
【０００９】
上記目的を達成するため、本発明に係る面材支持装置は、框と、框にそれぞれ縁部分を嵌め込んで取り付けた面材とを備える障子に適用し、面材の上端面において戸先側に位置する部分と上框の見込み面との間の隙間に介在して面材及び上框のそれぞれに当接させることにより面材を上框に支持させるようにした面材支持装置であって、基準となるベース部材と、ベース部材に対して傾斜面を介して当接し、水平方向に沿って相対位置を変更した場合に傾斜面の作用により、ベース部材に対する高さ方向の位置が変更されるスライド部材とを備え、前記ベース部材は、戸先側に配置される縦框の見込み面に取り付けられ、面材の戸先側に位置する端面との間に収容されるベース基部と、前記ベース基部から突出して面材の上端面に対向する部位に配置されるベース支持部とを有したものであり、前記スライド部材は、前記ベース基部に対して移動可能に支持させたスライド基部と、前記スライド基部から突出して面材の上端面に対向する部位に配置されるスライド支持部とを有したものであり、前記ベース基部と前記スライド基部との間に介在し、前記ベース部材及び前記スライド部材の水平方向に沿った相対位置を変更させる操作部材を設けたことを特徴とする。
【００１０】
この発明によれば、ベース支持部に対してスライド支持部の高さ方向の位置を変更させる操作部材を設けているため、操作部材を障子の外部から操作できる位置に配設することにより、障子を組み立てた後の調整を容易に行うことができる。しかも、戸先側に配置される縦框の見込み面と面材の戸先側に位置する端面との間にベース部材のベース基部及びスライド部材のスライド基部を収容させ、かつこれらベース基部とスライド基部との間に操作部材を設けるようにしているため、障子に適用する場合に面材の上端面と上框の見込み面との間に大きなスペースを要しない。
【００１１】
また、本発明は、上述した面材支持装置において、少なくとも前記ベース支持部及び前記スライド支持部の間に前記傾斜面を設けたことを特徴とする。
【００１２】
この発明によれば、面材の上端面と上框の見込み面との間に介在させるベース支持部とスライド支持部とが傾斜面を介して当接した状態を維持する。
【００１３】
また、本発明は、上述した面材支持装置において、前記ベース支持部と前記スライド支持部との間及び前記ベース基部と前記スライド基部との間にそれぞれ前記傾斜面を設けたことを特徴とする。
【００１４】
この発明によれば、ベース支持部及びスライド支持部の間に設けた傾斜面と、ベース基部及びスライド基部の間に設けた傾斜面とを介してベース部材とスライド部材とが２箇所で当接されるため、ベース部材とスライド部材との当接状態をより強固に維持することができる。
【００１５】
また、本発明は、上述した面材支持装置において、前記スライド部材には、面材に近接する向きに移動させた場合に、上框に支持させた押縁部材の着脱移動領域に進入し、前記押縁部材に当接することによって前記押縁部材の脱落方向への移動を阻止する脱落防止突起を設けたことを特徴とする。
【００１６】
この発明によれば、脱落防止突起が当接することによって上框からの押縁部材の脱落を防止することができる。
【００１７】
また、本発明は、上述した面材支持装置において、前記ベース支持部からの前記スライド支持部の突出高さを増大する方向に向けて前記ベース基部と前記スライド基部とを水平方向に沿って相対移動させた場合には、前記脱落防止突起が前記押縁部材の着脱移動領域に進入した後に前記ベース支持部及び前記スライド支持部の間の傾斜面が作用するようにこれら脱落防止突起及び傾斜面の位置を設定したことを特徴とする。
【００１８】
この発明によれば、脱落防止突起が押縁部材の着脱移動領域に進入するまではベース部材に対してスライド部材が上下方向に沿って変位することがない。
【００１９】
また、本発明は、上述した面材支持装置において、前記操作部材は、水平方向に延在する軸部の周面に螺旋溝を有し、前記ベース基部及び前記スライド基部のいずれか一方に前記螺旋溝を介して噛み合う一方、前記ベース基部及び前記スライド基部のいずれか他方には軸方向への移動が規制された状態で自身の軸心回りに回転可能に配設された調整ネジ部材を備えることを特徴とする。
【００２０】
この発明によれば、調整ネジ部材を自身の軸心回りに回転させることでベース部材に対してスライド部材を水平方向に沿って移動させることができる。
【００２１】
また、本発明に係る障子は、上述したいずれか一つの面材支持装置を框と面材との間に設けたことを特徴とする。
【００２２】
この発明によれば、ベース支持部に対してスライド支持部の高さ方向の位置を変更させる操作部材を設けているため、操作部材を障子の外部から操作できる位置に配設することにより、障子を組み立てた後の調整を容易に行うことができる。しかも、戸先側に配置される縦框の見込み面と面材の戸先側に位置する端面との間にベース部材のベース基部及びスライド部材のスライド基部を収容させ、かつこれらベース基部とスライド基部との間に操作部材を設けるようにしているため、障子に適用する場合に面材の上端面と上框の見込み面との間に大きなスペースを要しない。
【００２３】
また、本発明は、上述した障子において、前記操作部材を操作する工具を挿入するための工具挿入口を縦框の戸先面に設けたことを特徴とする。
【００２４】
この発明によれば、障子を開けることによって工具挿入口が外部に露出することになるため、外観品質に影響を与えることなく、障子を組み立てた後の調整を容易に行うことが可能となる。
【００２５】
また、本発明は、上述した障子において、前記操作部材を操作する工具を挿入するための工具挿入口を縦框の室内側に位置する見付け面に設けたことを特徴とする。
【００２６】
この発明によれば、障子を閉めた状態で工具挿入口から工具を挿入することができるため、障子を組み立てた後の調整を容易に行うことが可能となる。
【発明の効果】
【００２７】
本発明によれば、ベース支持部に対してスライド支持部の高さ方向の位置を変更させる操作部材を設けているため、操作部材を障子の外部から操作できる位置に配設することにより、障子を組み立てた後の調整を容易に行うことができる。しかも、戸先側に配置される縦框の見込み面と面材の戸先側に位置する端面との間にベース部材のベース基部及びスライド部材のスライド基部を収容させ、かつこれらベース基部とスライド基部との間に操作部材を設けるようにしている。従って、面材の上端面と上框の見込み面との間に大きなスペースが確保されていない障子に対しても適用することが可能となる。
【図面の簡単な説明】
【００２８】
【図１】図１は、本発明の実施の形態１である面材支持装置を適用した障子を室内側から見た正面図である。
【図２−１】図２−１は、図１おけるＡ−Ａ線断面図である。
【図２−２】図２−２は、図１におけるＢ−Ｂ線断面図である。
【図３】図３は、図１におけるＣ−Ｃ線断面図である。
【図４】図４は、図１に示した障子に適用する面材支持装置の要部拡大断面正面図である。
【図５−１】図５−１は、図１に示した障子に適用する面材支持装置が初期状態にある場合の正面図である。
【図５−２】図５−２は、図１に示した障子に適用する面材支持装置においてスライド部材を移動させた状態の正面図である。
【図５−３】図５−３は、図１に示した障子に適用する面材支持装置においてスライド部材をさらに移動させた状態の正面図である。
【図６】図６は、図１に示した障子に適用する面材支持装置の分解斜視図である。
【図７−１】図７−１は、図６に示した面材支持装置が初期状態にある場合の斜視図である。
【図７−２】図７−２は、図６に示した面材支持装置においてスライド部材を移動させた状態の斜視図である。
【図８−１】図８−１は、本発明の実施の形態２である面材支持装置を適用した障子の要部断面平面図である。
【図８−２】図８−２は、図８−１に示した障子の要部断面正面図である。
【発明を実施するための形態】
【００２９】
以下、添付図面を参照しながら本発明に係る面材支持装置及び障子の好適な実施の形態について詳細に説明する。
【００３０】
（実施の形態１）
図１は、本発明の実施の形態１である障子を示したもので、たてすべり出し窓と称される建具の障子を例示している。この障子は、上框１１、下框１２、左右一対の縦框１３，１４を四周框組みして構成した框１０と、框１０に取り付けた面材１５とを備えており、戸先側に位置する縦框１３を開口枠２０の面外方向に移動させることによって開口枠２０を開放するものである。面材１５は、図２−１、図２−２、図３に示すように、２枚の同じ大きさのガラス板１５ａを重ねて構成した複層ガラスと称されるもので、縁部分がそれぞれ框１０のヒレ部１０ａと押縁部材１６との間に嵌め込んだ状態で取り付けられている。ヒレ部１０ａは、框１０の室外側から内方に向けて突出した薄板状部分であり、その先端部にアウタガスケット１７を保持している。押縁部材１６は、框１０の見込み面に設けた一対の係止リブ１０ｂ，１０ｃに係止される係止部１６ａと、係止部１６ａを介して框１０に取り付けた場合に框１０の見付け面に沿って配置されるカバー部１６ｂとを有したものである。カバー部１６ｂの先端部には、ヒレ部１０ａのアウタガスケット１７に対応する部位にインナガスケット１８が保持させてある。これらアウタガスケット１７及びインナガスケット１８は、予め成形されたシール部材であり、面材１５との間に所望の水密性や気密性を確保するとともに、互いの間に面材１５を挟持する機能も有している。
【００３１】
この障子に適用される押縁部材１６は、係止部１６ａの先端部を室内側から奥側の係止リブ１０ｂに挿入し、この状態からカバー部１６ｂを框１０に近接させる方向に回転させると、係止部１６ａを手前側の係止リブ１０ｃに係止させて框１０に取り付けることができる。押縁部材１６を取り外す場合には、係止部１６ａの先端部を中心としてカバー部１６ｂを室外側に向けて回転させれば、係止部１６ａが手前側の係止リブ１０ｃから逸脱することになり、係止部１６ａの先端部を奥側の係止リブ１０ｂから引き抜くことができる。
【００３２】
図１に示すように、この障子には、下框１２及び縦框１３，１４にセッティングブロック３０が設けてあるとともに、面材１５の上端面において戸先側に位置する部分と上框１１の見込み面１１ａとの間の隙間に面材支持装置４０を介在させるようにしている。
【００３３】
セッティングブロック３０は、面材１５及び押縁部材１６を取り付ける以前の框１０に対して取り付けられ、吊り込まれた面材１５の荷重を支持するためのもので、合成ゴム材等の弾性材によって直方体状に構成してある。本実施の形態１では、下框１２において吊り元側に位置する見込み面、戸先側に位置する縦框１３の上端部に位置する見込み面及び吊り元側に位置する縦框１４の下端部に位置する見込み面にそれぞれ配設してある。
【００３４】
面材支持装置４０は、面材１５及び押縁部材１６を取り付ける以前の框１０に対して取り付けるもので、図３〜図７−２に示すように、ベース部材１４０及びスライド部材２４０を備えている。
【００３５】
ベース部材１４０は、ベース基部１４１と、ベース基部１４１の上端部から水平方向に沿って突出した板状を成すベース支持部１４２とを有して構成したものである。このベース部材１４０は、ベース基部１４１の取付片部１４１ａを介して戸先側に位置する縦框１３の見込み面１３ａに取付ネジＢを螺合することにより、縦框１３の上端部に取り付けてある。
【００３６】
ベース基部１４１は、取付片部１４１ａを上端部から戸先側に向けてほぼ水平に延在する下方ベース部１４１ｂと、下方ベース部１４１ｂの延在端部から縦框１３に沿って上方に延在する側方ベース部１４１ｃと、側方ベース部１４１ｃの上端部から下方ベース部１４１ｂに対向するようにほぼ水平に延在する上方ベース部１４１ｄとを有し、これらの間に収容部１４１ｅを有したものである。ベース基部１４１の水平方向に沿った寸法は、縦框１３の見込み面１３ａと面材１５の端面との間に収容できる大きさに構成してある。ベース基部１４１の高さ方向の寸法は、上方ベース部１４１ｄの上端面が上框１１の見込み面１１ａと同じ水平面上に位置するように設定してある。ベース支持部１４２は、上方ベース部１４１ｄの延在端部から突出し、面材１５の上端面と上框１１の見込み面１１ａとの間に介在する平板状部分である。ベース支持部１４２の上端面は、ベース基部１４１における上方ベース部１４１ｄの上端面と同じ平面上に位置し、上框１１の見込み面１１ａに当接した状態にある。
【００３７】
このベース部材１４０には、ベース基部１４１及びベース支持部１４２のそれぞれにベース側傾斜面１４３が形成してあるとともに、側方ベース部１４１ｃに調整ネジ部材１４４が支持させてある。ベース側傾斜面１４３は、上方に向かうに従って漸次側方ベース部１４１ｃに近接する方向に傾斜した平面である。これらのベース側傾斜面１４３は、互いに同一の傾斜角度を有するように構成してある。ベース基部１４１のベース側傾斜面１４３は、上方ベース部１４１ｄの両側において面材１５に近接する部位の下面に設けてあり、ベース支持部１４２のベース側傾斜面１４３は、突出した先端部分の下面に設けてある。調整ネジ部材１４４は、軸部１４４ａの周面にネジ溝を有するとともに、基端部に工具が装着される頭部１４４ｂを有したもので、側方ベース部１４１ｃに設けたネジ挿通溝１４１ｆに貫通することにより、軸方向に沿った移動が規制された状態で自身の軸心回り回転可能となるように配設してある。この調整ネジ部材１４４は、縦框１３の戸先面に開口する工具挿入口１３０を介して頭部１４４ｂが障子の外部に露出しており、工具挿入口１３０から工具を挿入することで、障子の外部から回転操作することが可能である。
【００３８】
スライド部材２４０は、スライド基部２４１と、スライド基部２４１の上端部から水平方向に沿って突出した板状を成すスライド支持部２４２とを有している。スライド基部２４１は、ベース部材１４０の収容部１４１ｅに収容することのできる大きさを有したブロック状部材であり、ベース部材１４０に対して上下方向に移動可能、かつベース支持部１４２の突出方向に沿って移動することが可能である。スライド支持部２４２は、スライド基部２４１の上端部から水平方向に沿って突出し、ベース支持部１４２の下面に重なる部分である。図には明示していないが、スライド支持部２４２の上面とベース支持部１４２の下面との間には、互いに嵌り合う凹部と凸部とが形成してあり、凸部を凹部に対向させることで、ベース支持部１４２の上面とスライド支持部２４２の上面とを同じ高さ位置に配置することが可能である。スライド基部２４１は、スライド支持部２４２よりも大きい幅に形成してあり、上方から見た場合、スライド支持部２４２の両側からそれぞれ突出した形状を成している。
【００３９】
このスライド部材２４０には、スライド基部２４１及びスライド支持部２４２のそれぞれにスライド側傾斜面２４３が形成してある。スライド側傾斜面２４３は、上方に向かうに従って漸次スライド基部２４１の基端面２４１ａに近接する方向に傾斜した平面であり、互いに同一、かつベース部材１４０に形成したベース側傾斜面１４３と同一の傾斜角度を有するように構成してある。スライド基部２４１のスライド側傾斜面２４３は、スライド支持部２４２の両側から突出した部分の上面においてベース基部１４１のベース側傾斜面１４３に対応する部位に設けてある。スライド支持部２４２のスライド側傾斜面２４３は、突出した先端部分の上面においてベース支持部１４２のベース側傾斜面１４３に対応する部位に設けてある。
【００４０】
但し、図５−１に示すように、スライド基部２４１の基端面２４１ａを側方ベース部１４１ｃに当接させた場合、スライド側傾斜面２４３及びベース側傾斜面１４３は、互いの間に同じ間隙を確保した状態で対向し、図５−２に示すように、ベース部材１４０に対してスライド部材２４０をベース支持部１４２の突出方向に向けて予め設定した距離だけ移動させた場合に相互に当接することが可能である。
【００４１】
また、スライド部材２４０には、図３〜図７−２に示すように、スライド支持部２４２に脱落防止突起２４２ａが設けてあるとともに、スライド基部２４１にネジプレート２４４が配設してある。脱落防止突起２４２ａは、スライド支持部２４２の基端部両側面から側方に向けて突出した直方体状の突出部である。この脱落防止突起２４２ａは、スライド基部２４１の基端面２４１ａをベース基部１４１の側方ベース部１４１ｃに当接させた場合には縦框１３の内部に位置し、かつ上框１１に保持させた押縁部材１６における係止部１６ａとカバー部１６ｂとの会合部に対応する高さとなる位置に設けてある。スライド部材２４０をベース支持部１４２の突出方向に向けて水平に移動した場合、脱落防止突起２４２ａは、上框１１の内部に進入し、その突出端面が押縁部材１６において係止部１６ａとカバー部１６ｂとの会合部裏面（押縁部材１６の着脱移動領域）に近接した位置に配置される。
【００４２】
ネジプレート２４４は、中心部に調整用ネジ孔２４４ａを有した平板状部材であり、調整用ネジ孔２４４ａに調整ネジ部材１４４が螺合させてある。このネジプレート２４４は、調整用ネジ孔２４４ａに調整ネジ部材１４４を螺合させた状態でスライド基部２４１に対して上下方向に移動可能、かつ軸方向へは移動が規制された状態でスライド部材２４０に配設してある。具体的には、スライド基部２４１の基端面２４１ａに開口するネジスライド用溝２４１ｂと、ネジスライド用溝２４１ｂに直交するプレート収容溝２４１ｃとがそれぞれ上下方向に沿って形成してあり、プレート収容溝２４１ｃにネジプレート２４４を配設し、かつネジスライド用溝２４１ｂに調整ネジ部材１４４を配設することにより、ネジプレート２４４が螺合した状態の調整ネジ部材１４４を上下方向に移動可能、かつ軸方向へは移動が規制された状態でスライド基部２４１に配設している。
【００４３】
上記のように構成した面材支持装置４０では、図４、図５−１に示すように、スライド基部２４１の基端面２４１ａがベース部材１４０の側方ベース部１４１ｃに当接した状態が初期状態となる。この初期状態においては、ベース部材１４０のベース基部１４１及びスライド部材２４０のスライド基部２４１は、いずれも縦框１３の見込み面１３ａと面材１５の端面との間に位置する構成であり、面材１５の上端面と上框１１の見込み面１１ａとの間には、ベース部材１４０のベース支持部１４２とスライド部材２４０のスライド支持部２４２とが互いに重なり合った状態で存在するのみである。従って、面材１５の上端面と上框１１の見込み面１１ａとの間のスペースが大きく確保されていない障子であっても、面材支持装置４０の適用が妨げられることがない。
【００４４】
面材支持装置４０を取り付けた框１０に対しては、面材１５と框１０との間に押縁部材１６を配設し、障子の組み立てを完成させる。ここで、上框１１に押縁部材１６を配設する時点では、上述したようにスライド部材２４０に設けた脱落防止突起２４２ａが縦框１３と面材１５との間に位置した状態にある。従って、脱落防止突起２４２ａが押縁部材１６を取り付ける際の作業を妨げることはない。
【００４５】
障子の組み立てが完了した後には、縦框１３に設けた工具挿入口１３０から工具を挿入し、調整ネジ部材１４４を軸心回りに回転させて調整を行えば、調整ネジ部材１４４に対してネジプレート２４４の螺合位置が変更されるため、図５−２、図５−３に示すように、ベース部材１４０に対してスライド部材２４０を調整ネジ部材１４４の軸方向に沿って移動させることができるようになる。
【００４６】
ここで、ベース部材１４０に設けたベース側傾斜面１４３と、スライド部材２４０に設けたスライド側傾斜面２４３とが当接していない場合には、ベース部材１４０に対してスライド部材２４０が水平方向に沿ってのみ移動することになる。従って、スライド部材２４０に設けた脱落防止突起２４２ａがその高さ位置を変更することなく押縁部材１６の裏面側に進入し、やがてその突出端面が係止部１６ａとカバー部１６ｂとの会合部裏面に近接した位置に配置される。この状態においては、図２−２に示すように、上框１１に対して押縁部材１６の先端部を中心としてカバー部１６ｂを室外側に向けて回転させようとするとカバー部１６ｂが脱落防止突起２４２ａに当接することにより、上框１１に対して押縁部材１６を取り外す方向に移動させることができない。これにより、仮に押縁部材１６の先端部に設けたインナガスケット１８が経年変化によって劣化し、面材１５との間に隙間が生じた場合にも、押縁部材１６が脱落する事態を招来する恐れがなく、面材１５が脱落する事態も発生しない。
【００４７】
調整ネジ部材１４４をさらに回転させてスライド部材２４０を面材１５に近接する方向に移動させると、やがてスライド側傾斜面２４３がベース側傾斜面１４３に当接する。以降、ベース部材１４０に対してスライド部材２４０が水平方向に沿って移動すると、図５−２及び図５−３に示すように、互いに当接する傾斜面１４３，２４３の作用によってベース部材１４０に対するスライド部材２４０の高さ方向の位置が変更され、ベース支持部１４２の下面に対してスライド支持部２４２が下方に突出するようになる。ベース支持部１４２の下面から突出したスライド支持部２４２は、やがて面材１５の上面に当接してこれを押圧することなり、上框１１の見込み面１１ａに当接するベース支持部１４２との協働により、面材１５の上端部を上框１１に支持させることができるようになる。これにより、セッティングブロック３０との間において框１０に対する面材１５の移動が阻止されるため、框１０の剛性が向上することになり、大面積の開口に適用する障子であっても、框１０の変形を抑制し、戸先側が下がる事態を抑えることが可能になる。特に、上述した面材支持装置４０では、ベース基部１４１とスライド基部２４１との間のみならず、ベース支持部１４２とスライド支持部２４２との間にも傾斜面１４３，２４３を設けるようにしているため、スライド支持部２４２がベース支持部１４２の下面から突出した状態が確実に維持されるようになり、面材１５の上端面が上框１１の見込み面１１ａに確実に支持されるようになる。
【００４８】
しかも、上述した調整ネジ部材１４４による面材支持装置４０の調整作業は、縦框１３に設けた工具挿入口１３０から工具を挿入すれば良いため、障子を組み立てた後であっても、障子を開口枠２０に支持させた後であっても、容易に実施することが可能である。加えて縦框１３の戸先面に工具挿入口１３０を有した障子によれば、開口枠２０に対して開度を大きくすれば、周囲に壁や庇が存在した場合にも、作業用の空間を十分に確保できるため、作業性の点で有利となる。
【００４９】
（実施の形態２）
上述した実施の形態１では、縦框１３の戸先面に工具挿入口１３０を設けるようにしているため、開口枠２０に対して障子を閉めた状態においては、工具挿入口１３０が外部に現れることがなく、障子の外観品質を損なうことがない。しかしながら、本発明はこれに限定されず、例えば図８−１及び図８−２に示す実施の形態２のように、縦框１３において室内側に位置する見付け面に工具挿入口１３０′を設けるようにしても構わない。
【００５０】
実施の形態２で示す面材支持装置４０′は、実施の形態１で示した面材支持装置４０と同様の構成を有したものであり、実施の形態１とは、調整ネジ部材１４４の配設位置が異なる点、スライド基部２４１′の基端面２４１ａ′が傾斜している点、ベース部材１４０とスライド部材２４０′との間にサブスライド部材３４０を備えた点が相違している。以下、実施の形態１との相違点を中心に実施の形態２の説明を行う。尚、実施の形態２において実施の形態１と同様の構成に関しては、同一の符号を付してそれぞれの詳細説明を省略する。
【００５１】
ベース部材１４０′のベース基部１４１′には、下方ベース部１４１ｂの室内側に位置する縁部から縦框１３に沿って上方に延在する見付けベース部１４１ｇが設けてある。見付けベース部１４１ｇは、ベース基部１４１′に設けた収容部１４１ｅの室内側に位置する開口を覆うように設けたもので、調整ネジ部材１４４を備えている。
【００５２】
調整ネジ部材１４４は、軸部１４４ａの周面にネジ溝を有するとともに、基端部に工具が装着される頭部１４４ｂを有した円柱状部材であり、見付けベース部１４１ｇに設けたネジ挿通孔１４１ｈに貫通することにより、軸方向に沿った移動が規制された状態で自身の軸心回り回転可能となるように配設してある。この調整ネジ部材１４４は、縦框１３の室内側に位置する見付け面に開口する工具挿入口１３０′を介して頭部１４４ｂが障子の外部に露出しており、工具挿入口１３０′から工具を挿入することで、障子の外部から回転操作することが可能である。
【００５３】
スライド基部２４１′の基端面２４１ａ′は、ベース基部１４１′の見付けベース部１４１ｇから離隔するに従って漸次側方ベース部１４１ｃからの距離が大きくなるように傾斜している。
【００５４】
サブスライド部材３４０は、ベース基部１４１′の側方ベース部１４１ｃとスライド基部２４１′との間に介在したブロック状部材であり、見付けベース部１４１ｇに対向する端面に調整ネジ部材１４４が螺合してある。サブスライド部材３４０においてスライド基部２４１′の基端面２４１ａ′に対向する先端面３４１は、サブスライド部材３４０の基端面を側方ベース部１４１ｃに当接させた場合、ベース基部１４１′の見付けベース部１４１ｇから離隔するに従って漸次側方ベース部１４１ｃからの距離が大きくなるように傾斜している。
【００５５】
上記のように構成した面材支持装置４０′では、実施の形態１と同様、ベース部材１４０′のベース基部１４１′及びスライド部材２４０′のスライド基部２４１′が縦框１３の見込み面１３ａと面材１５の端面との間に位置した状態が初期状態となる。この初期状態では、面材１５の上端面と上框１１の見込み面１１ａとの間に、ベース部材１４０′のベース支持部１４２とスライド部材２４０′のスライド支持部２４２とが互いに重なり合った状態で存在するのみである。従って、面材１５の上端面と上框１１の見込み面１１ａとの間のスペースが大きく確保されていない障子であっても、面材支持装置４０′の適用が妨げられる場面はほとんど無い。
【００５６】
また、スライド部材２４０′に設けた脱落防止突起２４２ａが縦框１３と面材１５との間に位置した状態にあるため、脱落防止突起２４２ａが押縁部材１６を取り付ける際の作業を妨げることなく障子の組立作業を行うことができる。
【００５７】
障子の組み立てが完了した後には、縦框１３に設けた工具挿入口１３０′から工具を挿入し、調整ネジ部材１４４を軸心回りに回転させると、調整ネジ部材１４４に対してサブスライド部材３４０の螺合位置が変更され、ベース部材１４０′に対するサブスライド部材３４０の見込み方向に沿った位置が変更される。サブスライド部材３４０がベース部材１４０′に対して見込み方向に移動すると、互いに当接するサブスライド部材３４０の先端面３４１とスライド部材２４０′の基端面２４１ａ′との作用により、ベース部材１４０′に対してスライド部材２４０′がベース支持部１４２の延在方向に沿って移動するようになる。
【００５８】
従って、スライド部材２４０′に設けた脱落防止突起２４２ａがその高さ位置を変更することなく押縁部材１６の裏面側に進入し、その突出端面が係止部１６ａとカバー部１６ｂとの会合部裏面に近接した位置に配置された後、スライド側傾斜面２４３がベース側傾斜面１４３に当接する。以降、互いに当接する傾斜面１４３，２４３の作用によってベース部材１４０′に対するスライド部材２４０′の高さ方向の位置が変更され、ベース支持部１４２の下面に対してスライド支持部２４２が下方に突出するようになり、ベース支持部１４２の下面とベース支持部１４２の上面とによって面材１５の上端部を上框１１に支持させることができるようになる。これにより、セッティングブロック３０との間において框１０に対する面材１５の移動が阻止されるため、框１０の剛性が向上することになり、大面積の開口に適用する障子であっても、框１０の変形を抑制し、戸先側が下がる事態を抑えることが可能になる。
【００５９】
しかも、上述した調整ネジ部材１４４による面材支持装置４０の調整作業は、縦框１３の見付け面に設けた工具挿入口１３０′から工具を挿入すれば良いため、障子を組み立てた後や障子を開口枠２０に支持させた後、さらには開口枠２０に対して面材１５を閉じた状態においても容易に実施することが可能である。
【００６０】
尚、上述した実施の形態１及び実施の形態２では、たてすべり出し窓に用いられる複層ガラスを有した障子を例示しているが、本発明では、戸先側に位置する縦框１３を開口枠２０の面外方向に移動させて障子を開けるように構成した建具であれば、その他の建具の障子にも適用することが可能である。例えば、すべり出し窓、外開き窓、内開き窓、外倒し窓、内倒し窓、排煙窓、突き出し窓、開きドア等の建具の障子を適用対象として挙げることができる。この場合、面材が複層ガラスである必要はなく、またガラス板である必要もない。
【００６１】
また、上述した実施の形態１及び実施の形態２では、面材１５と框１０との間のシール部材として、予め成形されたインナガスケット１８及びアウタガスケット１７を適用するようにしているため、施工現場に搬入する以前に障子を組み立てることが可能であるが、必ずしも予め成形されたシール部材を適用する必要はなく、施工現場で障子を組み立てながらシーリング材を面材１５と框１０との間に充填するようにしても良い。さらに、インナガスケット１８及びアウタガスケット１７を適用する場合には、必ずしも図示した断面形状のものに限定されることはなく、例えば断面がＵ字状を成すガスケットを適用しても構わない。
【００６２】
さらに、上述した実施の形態１及び実施の形態２では、スライド部材２４０，２４０′に脱落防止突起２４２ａを設けるようにしているため、インナガスケット１８が劣化して収縮したような状況下でも押縁部材１６の脱落を防止することが可能であるが、脱落防止突起２４２ａは必ずしも設ける必要はない。脱落防止突起２４２ａを設けない面材支持装置を構成する場合には、初期状態においてベース部材の傾斜面とスライド部材の傾斜面とを当接させるように構成しても良い。
【００６３】
またさらに、上述した実施の形態１及び実施の形態２では、ベース部材とスライド部材との双方に傾斜面を形成し、傾斜面を互いに当接させるようにしているが、ベース部材及びスライド部材のいずれか一方にのみ傾斜面を形成しても同様の作用効果を奏することが可能である。
【符号の説明】
【００６４】
１０      框
１１      上框
１１ａ      見込み面
１２      下框
１３      縦框
１３ａ      見込み面
１５      面材
１６      押縁部材
４０，４０′      面材支持装置
１３０，１３０′      工具挿入口
１４０，１４０′      ベース部材
１４１，１４１′      ベース基部
１４２      ベース支持部
１４３      ベース側傾斜面
１４４      調整ネジ部材
２４０，２４０′      スライド部材
２４１，２４１′      スライド基部
２４２      スライド支持部
２４２ａ      脱落防止突起
２４３      スライド側傾斜面
【図１】
0005701226.tif 000002
【図２−１】
0005701226.tif 000003
【図２−２】
0005701226.tif 000004
【図３】
0005701226.tif 000005
【図４】
0005701226.tif 000006
【図５−１】
0005701226.tif 000007
【図５−２】
0005701226.tif 000008
【図５−３】
0005701226.tif 000009
【図６】
0005701226.tif 000010
【図７−１】
0005701226.tif 000011
【図７−２】
0005701226.tif 000012
【図８−１】
0005701226.tif 000013
【図８−２】
0005701226.tif 000014